(57)【特許請求の範囲】
【請求項１】
車輌ルーフの両側端部に配されたロードキャリヤフット（１）に取り付けられるロードキャリヤストラットであって、ロードキャリヤストラット（６）は略流線形の外側断面構造を有する流線形プロファイルを有し、ロードキャリヤストラット下側両側端部に長手方向のスロット（８）を有し、ロードキャリヤストラット下側において、流線形プロファイルの断面を画定する外側輪郭線（７）が、前方画定面（１０）及び後方画定面（１１）並びに底部面（１２）を有する縦方向の垂直方向下向きに突出する突出部（９）によって分割されることを特徴とする、ロードキャリヤストラット。
【請求項２】
前方画定面（１０）及び後方画定面（１１）がほぼ平行且つ垂直であり、底部面（１２）が略平面且つ前方画定面及び後方画定面に対して横向きまたは直角であることを特徴とする、請求項１に記載のロードキャリヤストラット。
【請求項３】
断面が略矩形で下部面が突出部（９）の底部面（１２）を構成する矩形プロファイルを有する中空のロードキャリヤストラット（６）として設計されることを特徴とする、請求項１及び２に記載のロードキャリヤストラット。
【請求項４】
矩形プロファイルが流線形プロファイルの内側と結合された上向きの長手方向の突出部分（１７、１８）を有し、矩形プロファイルの前部壁（１４）及び後部壁（１５）が、上向きの突出部分（それぞれ１７、１８）と共に、流線形プロファイル内に直立した剛壁を形成することを特徴とする、請求項３に記載のロードキャリヤストラット。
【請求項５】
突出部（９）の底部面（１２）に少なくとも長手方向のスロット（８）の片側に沿って突出部（９）の前方画定部（１０）及び後方画定面（１１）の下端より高い水平面に位置する長手方向の皿穴又は引込み部（２１）が設けられることを特徴とする、請求項１から３に記載のロードキャリヤストラット。
【発明の詳細な説明】
技術分野
本発明は、車輌ルーフの両側端部に配されたロードキャリヤフット（足部）上に取付けられる、ロードキャリヤストラットに関し、このロードキャリヤストラットは、略流線形の外側断面構造を有し、また、下側両側端部に、長手方向のスロットを有する。
従来技術
長年にわたって、基本的に２つの異なるタイプのロードキャリヤストラットが存在しており、一方は、通常は矩形または場合によっては円筒形の単純な管プロファイル(profile)であり、他方は、流線形の外側構造を有するより複雑なプロファイルである。通常、このロードキャリヤストラットの後者のグループは、アルミニウムの押出し加工によって製造される。
単純な管状のロードキャリヤストラットの例は、ドイツ国特許第DE 3 223 216号の図２、第DE 3 619 673号の図４、及びスウェーデン国特許第SE 9502455-0号の図１で与えられている。流線形のロードキャリヤストラットの例は、PCT/SE88/00606号、スウェーデン国特許第SE 9201936-3号、米国特許第US4 501 385号（図３及び５）、及びPCT/SE90/00778号（図４）で与えられている。
ロードキャリヤフット上へのロードキャリヤストラットの固定に関しては、通常、PCT/SE88/00616号に開示されている技術が広く用いられている。この構造では、プロファイルの内部に収まるような引き込みピース(drawpiece)が用いられており、該引き込みピースは引き込みバー(drawbar)を介してロードキャリヤフット中のクランプ装置に結合されている。引き込みバーは、プロファイル下側のスロット形状の開口を通って延びている。これと同じ技術は、矩形プロファイルに関する限りでは、大きいスケールにも適用される。
クランプまたは固定技術が同じであっても、通常は、単純な管状プロファイルとより複雑な流線形プロファイルとの両方に、同じロードキャリヤフットを使用できない。
逆に言えば、例えば、流線形プロファイルを単純な管状プロファイル用のロードキャリヤフット上に取付けられないのも、当然なことである。
問題の構造
本発明は、流線形プロファイル及び単純な矩形プロファイルの両方に共通のロードキャリヤフット上に容易に取り付けられるような、上記に示されたロードキャリヤストラットを考案することを目的とする。また、本発明は、十分な負荷容量と十分なねじれ剛性とを有するようなロードキャリヤストラットを考案することを目的とする。最後に、本発明は、ロードキャリヤストラットの周囲の気流によって生じる騒音を削減するロードキャリヤストラットを実現することを目的とする。
解決策
本発明の基礎をなす目的は、上記に示されたロードキャリヤストラットが、ロードキャリヤストラット下側の、ロードキャリヤストラットの流線形断面の外側輪郭線が、前方及び後方画定面並びに底部面を有する長手方向の突出部によって分割されることを特徴とする場合に、達成される。
好ましくは、前方及び後方画定面は略平行且つ垂直でもあり、一方底部面は略平面且つ前方及び後方画定面に対して直角である。
更なる長所は、このロードキャリヤストラットが、添付の請求項３から５に述べられる１つまたはそれ以上の特徴も与えられる場合に達成される。
【図面の簡単な説明】
本説明は、本発明に従ったロードキャリヤストラットを、模式的に示されたロードキャリヤフットと共に一端から見た様子を示す添付の図面を参照して、以下により詳細に述べられる。
好適な実施の形態の説明
この説明及び添付の請求の範囲に用いられる位置及び添付の図面に関する本開示は、図面の矢印１３に従った方向に運転される車輌上での使用位置に取り付けられた際のロードキャリヤストラットに関する。“流線形断面”という用語は、ここでは概ね、ほぼ卵形、ほぼ楕円形、または場合によっては滴形の断面を意味する。“流線形”という用語で具体化される概念は広い意味で解釈されるべきであり、この用語に包含される例を上記に挙げた。
添付の図面において、参照番号１は、通常矢印１３方向に運転される車輌のルーフの側端部に固定される、ロードキャリヤフットを示している。ロードキャリヤフットの詳細な構造は本発明と密接な関係にないが、このロードキャリヤフットは引き込みバー２を有し、引き込みバー２はバーの上端にクランプ装置または操作装置の動作により両方向矢印４に従って上下方向に可動なヘッド３を有する。更に、ロードキャリヤフット１は、ロードキャリヤストラット６を載せるための支持面５を有する。ヘッド３は、支持面５に対して押圧されて位置が固定されるように下方位置においてロードキャリヤストラット６を下に締め付ける。
ロードキャリヤストラット６は、ロードキャリヤストラットの流線形の断面を画定する外側エッジライン７を有する。ロードキャリヤストラットは下側の端部に縦方向の溝８を有し、ロードキャリヤストラット６がロードキャリヤフット１に取り付けられた際、引き込みバー２が溝８を通って延出する。
ロードキャリヤストラット６は、その下側に長手方向に少なくとも溝８に沿って延びる長手方向の突出部９を有する。突出部９は、前方及び後方画定面１０及び１１をそれぞれ有し、同様に底部面１２も有する。好ましくは、前方及び後方画定面は両方とも略垂直且つ互いに平行であり、一方、底部面１２は略平面且つ前方及び後方画定面に対して横向きまたは直角である。
突出部９は、前部壁１４、後部壁１５、上部壁１６、及び底部壁１２を有する矩形の管のプロファイルの下部ととらえることができる。この管状プロファイルは、好ましくはロードキャリヤフット１も協働するように意図された管状プロファイルと同じ外形寸法を有する。
矩形の管のプロファイルの上側には、縦方向に上向きの突出部１７及び１８が設けられ、それらは好ましくは流線形プロファイルの内面と一体製造されることによって結合されている。図に示されるように、突出部１７及び１８はそれぞれ矩形プロファイルの前部壁１４及び後部壁１５の延長部として作られてもよい。突出部１７及び１８の車輌の移動方向１３における別の配置が考慮されてもよい。しかしながら、図に示されている実施の形態では、矩形プロファイルの前部及び後部壁は、上向きの突出部と共に、流線形プロファイル内部に垂直な剛壁を形成し、その結果、流線形プロファイルは前部及び後部の管状閉プロファイル部を有することになる。
流線形プロファイルは、上側に、その全長に渡る長手方向の溝１９を有する。流線形プロファイルの内側で且つ溝１９の下方には、ロードキャリヤフット１のヘッド３に類似のヘッドを収めるような空間２０が配されており、そのヘッドは部品をロードキャリヤストラット上に固定して締め付けるように意図されている。
先に、突出部９の底部面１２は全体に平面であると述べた。しかしながら、底部面１２が、スロットの両側に少なくともスロットに沿って長手方向の引込み又は皿穴部分が与えられると、ロードキャリヤストラット周囲の気流の渦によって生じる騒音をかなり削減できるであろう。この騒音はスロットによって生じる口笛のような音として特徴づけられるかもしれない。引込み部２１は、前方及び後方画定面１０及び１１それぞれの下部エッジラインより幾分高い水平面に位置してもよい。高さの差は0.5mmと1.0mmとの間の範囲であって、好ましくは約0.8mmである。
流線形プロファイルの上側の溝１９の両側に、対応する皿穴又は引込み部を設けることも可能である。
流線形プロファイルと一体化された矩形プロファイルの代わりに、ロードキャリヤストラットに関して下向きに突出し、前方及び後方画定面１０及び１１をそれぞれ支持する、縦方向のストリップまたはビードを設けることが更に考えられる。この実施の形態では、底部面１２は、原則的に、専らロードキャリヤフット１のヘッド３の構成の外観、及び場合によっては支持面５の構成によって決定される、より随意的な構成を与えられてもよい。
上述のように、流線形プロファイルは様々な外観を与えられてよい。例えば、流線形プロファイルは必ずしも区画の水平面について対称でなくてもよく、また車輌の移動方向１３において対称でなくてもよい。従って、移動方向１３における前方端部が後方端部よりも鈍形で丸みのあるプロファイルが考えられる。それに対応して、上側が下側よりも弓なりのプロファイル、またはその逆のプロファイルが考えられる。
また、溝１９は、その上に固定される部品が対応するように設計される場合は、ロードキャリヤストラットから省かれてもよい。
0004034825.tif 000002